(57)【要約】）放送コンテンツ（歌番組Ａ）を含む放送信号を受信する受信手段（１１）と、（ｉｉ）放送コンテンツを記録又は再生する記録再生手段（１４）と、（ｉｉｉ）放送コンテンツに対応される、放送チャンネル、放送時間帯、及び放送日に関する情報をユーザに表示する表示手段（２２）と、（ｉｖ）再生される放送コンテンツに対応される属性情報に対して、ユーザの嗜好の度合いを示す点数を付与する点数付与手段（１３等）と、付与された点数に基づいて、当該点数が付与された属性情報に対応した放送コンテンツに関する情報を、ユーザに表示するように、表示手段を制御する制御手段（１３）とを備える。【特許請求の範囲】
【請求項１】
所定の周期で放送される放送コンテンツを含む放送信号を受信する受信手段と、
受信された前記放送信号に含まれる前記放送コンテンツを、記録する、又は、ユーザが視聴できるように再生する記録再生手段と、
前記放送コンテンツに対応される、放送チャンネル、放送時間帯、及び放送日に関する属性情報を、少なくとも前記ユーザに表示する表示手段と、
少なくとも再生される前記放送コンテンツに対応される、前記属性情報に対して、前記ユーザの嗜好の度合いを示す点数を付与する点数付与手段と、
付与された前記点数に基づいて、当該点数が付与された前記属性情報に対応した前記放送コンテンツに関する情報を、前記ユーザに表示するように、前記表示手段を制御する制御手段と
を備えることを特徴とする放送記録再生装置。
【請求項２】
前記点数付与手段は、記録され、且つ再生された前記放送コンテンツに対応される、前記属性情報に対して前記点数を付与することを特徴とする請求の範囲第１項に記載の放送記録再生装置。
【請求項３】
受信された前記放送信号に含まれる番組情報を取得する取得手段を更に備え、
前記表示手段は、取得される前記番組情報に基づいて、前記属性情報として、前記放送コンテンツのタイトルに関する情報を、更に表示することを特徴とする請求の範囲第１項に記載の放送記録再生装置。
【請求項４】
前記点数付与手段は、所定の時間間隔の単位で構成される前記放送時間帯に対して、前記点数を付与することを特徴とする請求の範囲第１項に記載の放送記録再生装置。
【請求項５】
前記点数付与手段は、所定のタイミングで、前記点数を付与することを特徴とする請求の範囲第１項に記載の放送記録再生装置。
【請求項６】
前記点数付与手段は、前記周期に基づいて、前記点数を付与することを特徴とする請求の範囲第１項に記載の放送記録再生装置。
【請求項７】
前記点数付与手段は、所定のアルゴリズムに基づいて、前記点数を付与することを特徴とする請求の範囲第１項に記載の放送記録再生装置。
【請求項８】
点数付与手段は、前記属性情報である、前記放送コンテンツを一義的に特定可能な、複数の指標に対して、前記点数を夫々付与し、
前記制御手段は、複数の前記指標に対して夫々付与された前記点数の平均値、又は合計値に基づいて、前記放送コンテンツに関する情報を、前記ユーザに表示するように、前記表示手段を制御することを特徴とする請求の範囲第１項に記載の放送記録再生装置。
【請求項９】
前記制御手段は、更に、付与された前記点数に基づいて、（ｖ）当該点数が付与された前記属性情報に対応した前記放送コンテンツを再生するように、前記記録再生手段を制御することを特徴とする請求の範囲第１項に記載の放送記録再生装置。
【請求項１０】
所定の周期で放送される放送コンテンツを含む放送信号を受信する受信手段と、
受信された前記放送信号に含まれる前記放送コンテンツを記録する記録手段と、
前記放送コンテンツに対応される、放送チャンネル、放送時間帯、及び放送日に関する属性情報を、少なくとも前記ユーザに表示する表示手段と、
少なくとも記録される前記放送コンテンツに対応される、前記属性情報に対して、前記ユーザの嗜好の度合いを示す点数を付与する点数付与手段と、
付与された前記点数に基づいて、当該点数が付与された前記属性情報に対応した前記放送コンテンツに関する情報を、前記ユーザに表示するように、前記表示手段を制御する制御手段と
を備えることを特徴とする放送記録装置。
【請求項１１】
所定の周期で放送される放送コンテンツを含む放送信号を受信する受信手段と、
受信された前記放送信号に含まれる前記放送コンテンツを、ユーザが視聴できるように再生する再生手段と、
前記放送コンテンツに対応される、放送チャンネル、放送時間帯、及び放送日に関する属性情報を、少なくとも前記ユーザに表示する表示手段と、
少なくとも再生される前記放送コンテンツに対応される、前記属性情報に対して、前記ユーザの嗜好の度合いを示す点数を付与する点数付与手段と、
付与された前記点数に基づいて、当該点数が付与された前記属性情報に対応した前記放送コンテンツに関する情報を、前記ユーザに表示するように、前記表示手段を制御する制御手段と
を備えることを特徴とする放送再生装置。
【請求項１２】
所定の周期で放送される放送コンテンツを含む放送信号を受信する受信工程と、
受信された前記放送信号に含まれる前記放送コンテンツを、記録する、又は、ユーザが視聴できるように再生する記録再生工程と、
前記放送コンテンツに対応される、放送チャンネル、放送時間帯、及び放送日に関する属性情報を、少なくとも前記ユーザに表示する表示工程と、
少なくとも再生される前記放送コンテンツに対応される、前記属性情報に対して、前記ユーザの嗜好の度合いを示す点数を付与する点数付与工程と、
付与された前記点数に基づいて、当該点数が付与された前記属性情報に対応した前記放送コンテンツに関する情報を、前記ユーザに表示するように、前記表示工程を制御する制御工程と
を備えることを特徴とする放送記録再生方法。
【請求項１３】
所定の周期で放送される放送コンテンツを含む放送信号を受信する受信工程と、
受信された前記放送信号に含まれる前記放送コンテンツを記録する記録工程と、
前記放送コンテンツに対応される、放送チャンネル、放送時間帯、及び放送日に関する属性情報を、少なくとも前記ユーザに表示する表示工程と、
少なくとも記録される前記放送コンテンツに対応される、前記属性情報に対して、前記ユーザの嗜好の度合いを示す点数を付与する点数付与工程と、
付与された前記点数に基づいて、当該点数が付与された前記属性情報に対応した前記放送コンテンツに関する情報を、前記ユーザに表示するように、前記表示工程を制御する制御工程と
を備えることを特徴とする放送記録方法。
【請求項１４】
所定の周期で放送される放送コンテンツを含む放送信号を受信する受信工程と、
受信された前記放送信号に含まれる前記放送コンテンツを、ユーザが視聴できるように再生する再生工程と、
前記放送コンテンツに対応される、放送チャンネル、放送時間帯、及び放送日に関する属性情報を、少なくとも前記ユーザに表示する表示工程と、
少なくとも再生される前記放送コンテンツに対応される、前記属性情報に対して、前記ユーザの嗜好の度合いを示す点数を付与する点数付与工程と、
付与された前記点数に基づいて、当該点数が付与された前記属性情報に対応した前記放送コンテンツに関する情報を、前記ユーザに表示するように、前記表示工程を制御する制御工程と
を備えることを特徴とする放送再生方法。
【請求項１５】
請求の範囲第１項に記載の放送記録再生装置に備えられたコンピュータを制御する記録再生用のコンピュータプログラムであって、該コンピュータを、前記受信手段、前記記録再生手段、前記表示手段、前記点数付与手段、及び、前記制御手段のうち少なくとも一部として機能させることを特徴とするコンピュータプログラム。
【請求項１６】
請求の範囲第１０項に記載の放送記録装置に備えられたコンピュータを制御する記録用のコンピュータプログラムであって、該コンピュータを、前記受信手段、前記記録手段、前記表示手段、前記点数付与手段、及び、前記制御手段のうち少なくとも一部として機能させることを特徴とするコンピュータプログラム。
【請求項１７】
請求の範囲第１１項に記載の放送再生装置に備えられたコンピュータを制御する再生用のコンピュータプログラムであって、該コンピュータを、前記受信手段、前記再生手段、前記表示手段、前記点数付与手段、及び、前記制御手段のうち少なくとも一部として機能させることを特徴とするコンピュータプログラム。
【発明の詳細な説明】
【技術分野】
【０００１】
本発明は、例えば、アナログ放送やデジタル放送において、例えばハードディスク（Hard Disk）、ＤＶＤ、Blu-rayディスク等の情報記録媒体に放送番組等の放送コンテンツを記録（録画）又は再生することが可能な放送記録再生装置及び方法、放送記録装置及び方法、放送再生装置及び方法、並びにコンピュータプログラムの技術分野に関する。
【背景技術】
【０００２】
特許文献１においては、放送番組の記録（録画）に際して、（ｉ）放送番組のタイトル名等の属性情報を示した電子番組表（ＥＰＧ：Electric Program Guide）、又は、（ｉｉ）放送番組のジャンル（種類）等の内容に関する情報に基づいて、放送番組を分類する手法に関する技術が開示されている。従って、ユーザは、所望の放送番組を簡便に検索することができる。【０００３】
特許文献２においては、（ｉ）ユーザが放送番組を視聴した履歴に関する情報、及び（ｉｉ）例えば電子番組表等のメタデータに基づいて、放送番組に対して点数を付与し、所定の閾値を超えた放送番組をユーザに推薦する手法に関する技術が開示されている。従って、ユーザは、所望の放送番組を簡便に視聴することができる。【０００４】
【特許文献１】ＷＯ００／０２３８６号
【特許文献２】特開２００４−２０６６７９号
【発明の開示】
【発明が解決しようとする課題】
【０００５】
しかしながら、上述した特許文献１及び２においては、例えば電子番組表等のメタデータに含まれる、例えばジャンル名やタイトル名等の放送番組の属性情報を管理しなければならない。このため、これらの属性情報に対して、分類処理、更新処理、又はキーワード検索等の内容の把握を行う処理が煩雑になってしまうという技術的な問題点がある。加えて、例えば電子番組表等のメタデータにおいては、誤記や、表現形式のばらつきがあるため、正確に属性情報を管理することが困難になってしまうという技術的な問題点がある。【０００６】
そこで本発明は、例えば上述した問題を鑑みなされたものであり、例えばユーザに対して、所望の放送番組を検索又は視聴させる際に、より簡便且つ的確な処理を行うことが可能な放送記録再生装置及び方法、放送記録装置及び方法、放送再生装置及び方法、並びにコンピュータプログラムを提供することを課題とする。
【課題を解決するための手段】
【０００７】
（放送記録再生装置）
本発明の放送記録再生装置は上記課題を解決するために、所定の周期（毎週月曜日）で放送される放送コンテンツ（「歌番組Ａ」）を含む放送信号を受信する受信手段と、受信された前記放送信号に含まれる前記放送コンテンツを、記録する、又は、ユーザが視聴できるように再生する記録再生手段と、前記放送コンテンツに対応される、放送チャンネル、放送時間帯、及び放送日（放送曜日）に関する属性情報（枠：３次元要素）を、少なくとも前記ユーザに表示する表示手段と、少なくとも再生される（録画且つ視聴される）前記放送コンテンツに対応される、前記属性情報（枠）に対して、前記ユーザの嗜好の度合いを示す点数（ポイント）を付与する点数付与手段と、付与された前記点数に基づいて（点数の降順に）、当該点数が付与された前記属性情報に対応した前記放送コンテンツ（録画済みコンテンツ）に関する情報（タイトル名）を、前記ユーザに表示するように、前記表示手段を制御する制御手段とを備える。【０００８】
本発明の放送記録再生装置によれば、先ず、受信手段によって、例えば毎週月曜日に放送される歌番組等の所定の周期で放送される放送コンテンツを含む放送信号が受信される。【０００９】
そして、記録再生手段によって、受信された放送信号に含まれる放送コンテンツが、例えばＨＤ（Hard Disk）等の記録媒体に記録される。或いは、記録再生手段によって、受信された放送信号に含まれる放送コンテンツが、ユーザが視聴できるように再生される。【００１０】
そして、表示手段によって、例えばサムネイル表示等の手法によって、少なくとも、放送コンテンツに対応される、放送チャンネル、放送時間帯、及び放送日（放送曜日）に関する属性情報が、ユーザに表示される。【００１１】
そして、点数付与手段によって、少なくともユーザによって、再生される（即ち、ユーザによる記録及び視聴のうち少なくとも視聴が行われる）放送コンテンツに対応される、属性情報に対して、ユーザの嗜好の度合いを示す点数（ポイント）が、付与される。尚、この属性情報は、放送チャンネル、放送時間帯、及び放送日（放送曜日）によって、放送コンテンツを一義的に特定可能な指標（Ｉｎｄｅｘ）であるようにしてもよい。【００１２】
そして、制御手段の制御下で、表示手段によって、例えば点数の降順等の付与された点数に基づいて、当該点数が付与された属性情報に対応した放送コンテンツに関する情報（例えばタイトル名）が、ユーザに表示される。【００１３】
特に、本発明によれば、ユーザに対して、所望の放送番組を検索又は視聴させる際に、放送コンテンツに対して、ユーザの嗜好の度合いを示す点数をつける指標（Ｉｎｄｅｘ）として、ユーザによる録画設定の際に最低限必要な、放送チャンネル、放送時間帯（具体的には録画に必要な時間）、及び放送日（放送曜日）の三種類の情報を利用する。この結果、これら三種類の情報に基づいて、より簡便な情報処理で、ユーザの嗜好の度合いを示す点数を、放送コンテンツに対応させて付与することが可能となる。【００１４】
加えて、例えば電子番組表等のメタデータにおける、誤記や、表現形式のばらつきに影響されることなく、上述した三種類の情報に基づいて、より的確にユーザの嗜好の度合いを示す点数を、放送コンテンツに対応させて付与することが可能となる。【００１５】
加えて、例えば野球番組の延長放送等に起因して深夜番組等の放送コンテンツにおける、実際の放送時間帯が、例えば録画予約した、放送コンテンツに対応される放送時間帯から多少ズレてしまった場合でも、放送コンテンツに対応される放送時間帯を含む前後の十数分等の周辺の放送時間帯に対して、ユーザの嗜好の度合いを示す点数が付与される。従って、放送時間帯の変更の影響を小さくさせつつ、点数の付与を、ユーザが所望する放送コンテンツに対して反映させることが可能となる。【００１６】
本発明の放送記録再生装置の一の態様は、前記点数付与手段は、記録され、且つ再生された前記放送コンテンツに対応される、前記属性情報（枠：指標：Ｉｎｄｅｘ）に対して前記点数を付与する。【００１７】
この態様によれば、点数付与手段によって、ユーザによって記録（録画）され、且つ再生された、放送コンテンツに対応される、属性情報に対して点数が付与される。従って、ユーザの明確な意思表示を、適切に点数に反映させることが可能となる。【００１８】
本発明の放送記録再生装置の他の態様は、受信された前記放送信号に含まれる番組情報（ＥＰＧ：Electric Program Guide）を取得する取得手段を更に備え、前記表示手段は、取得される前記番組情報（ＥＰＧ）に基づいて、前記属性情報として、前記放送コンテンツのタイトルに関する情報を、更に表示する。【００１９】
この態様によれば、放送コンテンツのタイトルに関する情報がユーザに、例えばサムネイル表示等の手法で、表示されるので、ユーザの視認性をより向上させることが可能である。【００２０】
本発明の放送記録再生装置の他の態様は、前記点数付与手段は、所定の時間間隔（例えば15min）の単位で構成される前記放送時間帯に対して、前記点数を付与する。【００２１】
この態様によれば、例えば１５分単位等のより細分化された時間間隔の単位で示されると共に、構成される放送時間帯等に基づいて、ユーザの嗜好の度合いを、より高精度に点数に反映させることが可能となる。【００２２】
本発明の放送記録再生装置の他の態様は、前記点数付与手段は、所定のタイミングで、前記点数を付与する。【００２３】
この態様によれば、点数付与手段によって、例えば、深夜3:00、記録開始又は終了時等の所定のタイミングで、定期的に、点数が付与されるので、点数に関する情報をより高精度にすることが可能となる。【００２４】
本発明の放送記録再生装置の他の態様は、前記点数付与手段は、前記周期（例えば１週間）に基づいて、前記点数を付与する。【００２５】
この態様によれば、点数付与手段によって、例えば１週間前等の１周期だけ以前の放送日における、全時間帯、及び全チャンネルの放送コンテンツが、少なくとも再生されたか否かの判定に基づいて、放送コンテンツに対応させて点数が付与される。従って、周期に基づいて、ユーザの嗜好の度合いを、より高精度に点数に反映させることが可能となる。【００２６】
本発明の放送記録再生装置の他の態様は、前記点数付与手段は、所定のアルゴリズム（加減算、指数関数）に基づいて、前記点数を付与する。【００２７】
この態様によれば、点数付与手段によって、例えば加減算や、指数関数等の所定のアルゴリズムに基づいて、放送コンテンツに対応させて点数が付与される。従って、周期に基づいて、ユーザの嗜好の度合いを、より高精度に点数に反映させることが可能となる。【００２８】
本発明の放送記録再生装置の他の態様は、点数付与手段は、前記属性情報である、前記放送コンテンツを一義的に特定可能な、複数の指標（枠：Ｉｎｄｅｘ）に対して、前記点数を夫々付与し、前記制御手段は、複数の前記指標に対して夫々付与された前記点数の平均値、又は合計値に基づいて、前記放送コンテンツに関する情報を、前記ユーザに表示するように、前記表示手段を制御する。【００２９】
この態様によれば、制御手段の制御下で、表示手段によって、複数の指標に対して夫々付与された点数の平均値、又は合計値に基づいて、例えばタイトル名等の放送コンテンツに関する情報が表示される。従って、複数の指標に対して夫々付与された点数の平均値、又は合計値に基づいて、ユーザの嗜好の度合いを、より高精度に点数に反映させることが可能となる。【００３０】
本発明の放送記録再生装置の他の態様は、前記制御手段は、更に、付与された前記点数に基づいて、（ｖ）当該点数が付与された前記属性情報に対応した前記放送コンテンツを再生するように、前記記録再生手段を制御する。【００３１】
この態様によれば、制御手段の制御下で、記録再生手段によって、更に、例えば点数の降順等の、付与された点数に基づいて、（ｖ）当該点数が付与された属性情報に対応した放送コンテンツが再生される。従って、ユーザの嗜好の度合いが高い放送コンテンツが自動的に再生されるので、ユーザの利便性を高めることが可能となる。【００３２】
（放送記録装置）
本発明の放送記録装置は上記課題を解決するために、所定の周期（毎週月曜日）で放送される放送コンテンツ（歌番組Ａ）を含む放送信号を受信する受信手段と、受信された前記放送信号に含まれる前記放送コンテンツを記録する記録手段と、前記放送コンテンツに対応される、放送チャンネル、放送時間帯、及び放送日（放送曜日）に関する属性情報（枠：指標：Ｉｎｄｅｘ）を、少なくとも前記ユーザに表示する表示手段と、少なくとも記録される（録画される）前記放送コンテンツに対応される、前記属性情報（枠）に対して、前記ユーザの嗜好の度合いを示す点数（ポイント）を付与する点数付与手段と、付与された前記点数に基づいて（点数の降順に）、当該点数が付与された前記属性情報に対応した前記放送コンテンツ（録画済みコンテンツ）に関する情報（タイトル名）を、前記ユーザに表示するように、前記表示手段を制御する制御手段とを備える。【００３３】
本発明の放送記録装置によれば、前述した、放送記録再生装置と概ね同様に動作する。【００３４】
特に、記録手段によって、受信された放送信号に含まれる放送コンテンツが、例えばＨＤ（Hard Disk）等の記録媒体に記録される。【００３５】
この結果、放送チャンネル、放送時間帯、及び放送日（放送曜日）の三種類の情報に基づいて、より簡便な情報処理で、ユーザの嗜好の度合いを示す点数を、放送コンテンツに対応させて付与することが可能となる。そして、付与された点数に基づいて、放送コンテンツを、後述される放送再生装置に再生させることが可能となる。【００３６】
（放送再生装置）
本発明の放送再生装置は上記課題を解決するために、所定の周期（毎週月曜日）で放送される放送コンテンツ（歌番組Ａ）を含む放送信号を受信する受信手段と、受信された前記放送信号に含まれる前記放送コンテンツを、ユーザが視聴できるように再生する再生手段と、前記放送コンテンツに対応される、放送チャンネル、放送時間帯、及び放送日（放送曜日）に関する属性情報（枠：指標：Ｉｎｄｅｘ）を、少なくとも前記ユーザに表示する表示手段と、少なくとも再生される（視聴される）前記放送コンテンツに対応される、前記属性情報（枠）に対して、前記ユーザの嗜好の度合いを示す点数（ポイント）を付与する点数付与手段と、付与された前記点数に基づいて（点数の降順に）、当該点数が付与された前記属性情報に対応した前記放送コンテンツ（録画済みコンテンツ）に関する情報（タイトル名）を、前記ユーザに表示するように、前記表示手段を制御する制御手段とを備える。【００３７】
本発明の放送再生装置によれば、前述した、放送記録再生装置と概ね同様に動作する。【００３８】
特に、再生手段によって、受信された放送信号に含まれる放送コンテンツが、ユーザが視聴できるように再生される。【００３９】
この結果、放送チャンネル、放送時間帯、及び放送日（放送曜日）の三種類の情報に基づいて、より簡便な情報処理で、ユーザの嗜好の度合いを示す点数を、放送コンテンツに対応させて付与することが可能となる。そして、付与された点数に基づいて、放送コンテンツを再生することが可能となる。【００４０】
（放送記録再生方法）
本発明の放送記録再生方法は上記課題を解決するために、所定の周期（毎週月曜日）で放送される放送コンテンツ（歌番組Ａ）を含む放送信号を受信する受信工程と、受信された前記放送信号に含まれる前記放送コンテンツを、記録する、又は、ユーザが視聴できるように再生する記録再生工程と、前記放送コンテンツに対応される、放送チャンネル、放送時間帯、及び放送日（放送曜日）に関する属性情報（枠：指標：Ｉｎｄｅｘ）を、少なくとも前記ユーザに表示する表示工程と、少なくとも再生される（録画且つ視聴される）前記放送コンテンツに対応される、前記属性情報（枠）に対して、前記ユーザの嗜好の度合いを示す点数（ポイント）を付与する点数付与工程と、付与された前記点数に基づいて（点数の降順に）、当該点数が付与された前記属性情報に対応した前記放送コンテンツ（録画済みコンテンツ）に関する情報（タイトル名）を、前記ユーザに表示するように、前記表示工程を制御する制御工程とを備える。【００４１】
本発明の放送記録再生方法によれば、上述した本発明の放送記録再生装置と概ね同様の各種利益を享受することができる。【００４２】
尚、上述した本発明の放送記録再生装置における各種態様に対応して、本発明に係る放送記録再生方法も各種態様を採ることが可能である。【００４３】
（放送記録方法）
本発明の放送記録方法は上記課題を解決するために、所定の周期（毎週月曜日）で放送される放送コンテンツ（歌番組Ａ）を含む放送信号を受信する受信工程と、受信された前記放送信号に含まれる前記放送コンテンツを記録する記録工程と、前記放送コンテンツに対応される、放送チャンネル、放送時間帯、及び放送日（放送曜日）に関する属性情報（枠：指標：Ｉｎｄｅｘ）を、少なくとも前記ユーザに表示する表示工程と、少なくとも記録される（録画される）前記放送コンテンツに対応される、前記属性情報（枠）に対して、前記ユーザの嗜好の度合いを示す点数（ポイント）を付与する点数付与工程と、付与された前記点数に基づいて（点数の降順に）、当該点数が付与された前記属性情報に対応した前記放送コンテンツ（録画済みコンテンツ）に関する情報（タイトル名）を、前記ユーザに表示するように、前記表示工程を制御する制御工程とを備える。【００４４】
本発明の放送記録方法によれば、上述した本発明の放送記録装置と概ね同様の各種利益を享受することができる。【００４５】
尚、上述した本発明の放送記録装置における各種態様に対応して、本発明に係る放送記録方法も各種態様を採ることが可能である。【００４６】
（放送再生方法）
本発明の放送再生方法は上記課題を解決するために、所定の周期（毎週月曜日）で放送される放送コンテンツ（歌番組Ａ）を含む放送信号を受信する受信工程と、受信された前記放送信号に含まれる前記放送コンテンツを、ユーザが視聴できるように再生する再生工程と、前記放送コンテンツに対応される、放送チャンネル、放送時間帯、及び放送日（放送曜日）に関する属性情報（枠：指標：Ｉｎｄｅｘ）を、少なくとも前記ユーザに表示する表示工程と、少なくとも再生される（視聴される）前記放送コンテンツに対応される、前記属性情報（枠）に対して、前記ユーザの嗜好の度合いを示す点数（ポイント）を付与する点数付与工程と、付与された前記点数に基づいて（点数の降順に）、当該点数が付与された前記属性情報に対応した前記放送コンテンツ（録画済みコンテンツ）に関する情報（タイトル名）を、前記ユーザに表示するように、前記表示工程を制御する制御工程とを備える。【００４７】
本発明の放送再生方法によれば、上述した本発明の放送再生装置と概ね同様の各種利益を享受することができる。【００４８】
尚、上述した本発明の放送再生装置における各種態様に対応して、本発明に係る放送再生方法も各種態様を採ることが可能である。【００４９】
（コンピュータプログラム）
本発明のコンピュータプログラムは上記課題を解決するために、上述した本発明の放送記録再生装置（但し、その各種態様を含む）に備えられたコンピュータを制御する記録再生用のコンピュータプログラムであって、該コンピュータを、前記受信手段、前記記録再生手段、前記表示手段、前記点数付与手段、及び、前記制御手段のうち少なくとも一部として機能させる。【００５０】
本発明のコンピュータプログラムは上記課題を解決するために、上述した本発明の放送記録装置（但し、その各種態様を含む）に備えられたコンピュータを制御する記録用のコンピュータプログラムであって、該コンピュータを、前記受信手段、前記記録手段、前記表示手段、前記点数付与手段、及び、前記制御手段のうち少なくとも一部として機能させる。【００５１】
本発明のコンピュータプログラムは上記課題を解決するために、上述した本発明の放送再生装置（但し、その各種態様を含む）に備えられたコンピュータを制御する再生用のコンピュータプログラムであって、該コンピュータを、前記受信手段、前記再生手段、前記表示手段、前記点数付与手段、及び、前記制御手段のうち少なくとも一部として機能させる。【００５２】
本発明に係る各コンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の放送記録再生装置、放送記録装置、及び、放送再生装置を比較的簡単に実現できる。【００５３】
尚、上述した本発明の放送記録再生装置、放送記録装置、及び、放送再生装置における各種態様に対応して、本発明の各コンピュータプログラムも各種態様を採ることが可能である。【００５４】
コンピュータ読取可能な媒体内のコンピュータプログラム製品は上記課題を解決するために、上述した本発明の放送記録再生装置（但し、その各種態様を含む）に備えられたコンピュータにより実行可能なプログラム命令を明白に具現化し、該コンピュータを、前記受信手段、前記記録再生手段、前記表示手段、前記点数付与手段、及び、前記制御手段のうち少なくとも一部として機能させる。【００５５】
コンピュータ読取可能な媒体内のコンピュータプログラム製品は上記課題を解決するために、上述した本発明の放送記録装置（但し、その各種態様を含む）に備えられたコンピュータにより実行可能なプログラム命令を明白に具現化し、該コンピュータを、前記受信手段、前記記録手段、前記表示手段、前記点数付与手段、及び、前記制御手段のうち少なくとも一部として機能させる。【００５６】
コンピュータ読取可能な媒体内のコンピュータプログラム製品は上記課題を解決するために、上述した本発明の放送再生装置（但し、その各種態様を含む）に備えられたコンピュータにより実行可能なプログラム命令を明白に具現化し、該コンピュータを、前記受信手段、前記再生手段、前記表示手段、前記点数付与手段、及び、前記制御手段のうち少なくとも一部として機能させる。【００５７】
本発明の各コンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の放送記録再生装置、放送記録装置、及び、放送再生装置を比較的容易に実施可能となる。更に具体的には、当該コンピュータプログラム製品は、上述した本発明の放送記録再生装置、放送記録装置、及び、放送再生装置として機能させるコンピュータ読取可能なコード（或いはコンピュータ読取可能な命令）から構成されてよい。【００５８】
本発明のこのような作用及び他の利得は次に説明する実施例から明らかにされる。【００５９】
以上説明したように、本発明の放送記録再生装置又は方法によれば、受信手段及び工程、記録再生手段及び工程、表示手段及び工程、点数付与手段及び工程、並びに、制御手段及び工程を備える。従って、放送チャンネル、放送時間帯、及び放送日（放送曜日）の三種類の情報に基づいて、より簡便な情報処理で、ユーザの嗜好の度合いを示す点数を、放送コンテンツに対応させて付与することが可能となる。【００６０】
また、本発明の放送記録装置又は方法によれば、受信手段及び工程、記録手段及び工程、表示手段及び工程、点数付与手段及び工程、並びに、制御手段及び工程を備える。従って、放送チャンネル、放送時間帯、及び放送日（放送曜日）の三種類の情報に基づいて、より簡便な情報処理で、ユーザの嗜好の度合いを示す点数を、放送コンテンツに対応させて付与することが可能となる。【００６１】
また、本発明の放送再生装置又は方法によれば、受信手段及び工程、再生手段及び工程、表示手段及び工程、点数付与手段及び工程、並びに、制御手段及び工程を備える。従って、放送チャンネル、放送時間帯、及び放送日（放送曜日）の三種類の情報に基づいて、より簡便な情報処理で、ユーザの嗜好の度合いを示す点数を、放送コンテンツに対応させて付与することが可能となる。【００６２】
更に、また、本発明のコンピュータプログラムによれば、コンピュータを上述した本発明の放送記録再生装置、放送記録装置、及び、放送再生装置として機能させる。従って、コンピュータをして、放送チャンネル、放送時間帯、及び放送日（放送曜日）の三種類の情報に基づいて、より簡便な情報処理で、ユーザの嗜好の度合いを示す点数を、放送コンテンツに対応させて付与させることが可能となる。
【図面の簡単な説明】
【００６３】
【図１】本発明の放送記録再生装置の第１実施例に係る基本構成を示したブロック図である。
【図２】本発明の放送記録再生装置の実施例の動作に係る、コンテンツ嗜好リストを、ユーザに提示するまでの概略動作を示したフローチャートである。
【図３】本発明に係る点数が付与された属性情報を管理するための管理表の一具体例である。
【図４】本発明の放送記録再生装置の第１実施例に係る、放送コンテンツに対応される属性情報（即ち、放送チャンネル、放送時間帯、及び放送日によって一義的に特定可能な指標（Ｉｎｄｅｘ））に点数を付与するアルゴリズムの一具体例を示したフローチャートである。
【図５】本発明の放送記録再生装置の第１実施例に係る、一の放送コンテンツに対応される属性情報（放送チャンネル、及び放送時間帯）に点数が付与される管理表の変化の一具体例を示した模式図である。
【図６】比較例に係る、コンテンツ嗜好リストの一具体例を示した表である。
【図７】本発明に係る、コンテンツ嗜好リストの一具体例を示した表である。
【図８】本発明の放送記録再生装置の第２実施例に係る、放送コンテンツに対応される属性情報（即ち、放送チャンネル、放送時間帯、及び放送日）に点数を付与するアルゴリズムの一具体例を示したフローチャートである。
【図９】本発明の放送記録再生装置の第３実施例に係る、放送コンテンツに対応される属性情報（即ち、放送チャンネル、放送時間帯、及び放送日）に点数を付与するアルゴリズムの一具体例を示したフローチャートである。
【図１０】本発明によって取得可能な、ユーザの視聴履歴を示したグラフである。
【符号の説明】
【００６４】
１０      放送記録再生装置
１１      受信装置
１２      情報分離部
１３      制御部
１４      記録再生部
２０      入力機器
２１      入力受信部
２２      表示装置
Ｓ        制御信号
ＥＩ      映像情報
ＢＩ      番組情報
【発明を実施するための最良の形態】
【００６５】
以下、本発明を実施するための最良の形態について実施例毎に順に図面に基づいて説明する。【００６６】
（１）  放送記録再生装置の第１実施例
先ず、図１から図７を参照して、本発明の放送記録再生装置の第１実施例について説明する。【００６７】
（１−１）  基本構成
先ず、図１を参照して、本発明の放送記録再生装置の第１実施例に係る基本構成について説明する。ここに、図１は、本発明の放送記録再生装置の第１実施例に係る基本構成を示したブロック図である。【００６８】
図１に示されるように、本発明の放送記録再生装置１０は、（ｉ）放送コンテンツを、例えば地上波アナログ放送等の搬送波から受信する受信装置１１（即ち、本発明の「受信手段」）、（ｉｉ）受信された放送コンテンツを、映像情報ＥＩと、例えばＥＰＧからの番組情報ＢＩとに分離する情報分離部１２、（ｉｉｉ）制御信号Ｓによって、当該放送記録再生装置１０を統括制御する制御部１３、（ｉｖ）映像情報ＥＩと、番組情報ＢＩとを記録すると共に、再生する記録再生部１４（即ち、本発明の「記録再生手段」）、（ｖ）ユーザによって、所望の放送コンテンツを選択させる、例えばリモコン等の入力機器２０、（ｖｉ）入力機器２０からの制御信号Ｓを制御部１３へ出力する入力受信部２１、並びに（ｖｉｉ）映像情報ＥＩ等をユーザに表示する表示装置２２を備えて構成されている。【００６９】
また、記録再生部１４は、放送コンテンツに対応される、放送チャンネル、放送時間帯（開始時間や終了時間を含む）、及び放送日（放送曜日）等を、時計１９に基づいて、放送コンテンツと共に記録してもよい。或いは、番組情報ＢＩにメタデータとして保持される時間に関する情報に基づいて、放送コンテンツと共に記録してもよい。【００７０】
また、記録再生部１４は、映像情報ＥＩを領域１７に記録し、例えば、放送コンテンツのタイトル名や、出演者等の番組情報ＢＩを領域１８に記録するようにしてもよい。【００７１】
また、記録再生部１４は、後述される管理表を領域１５に記録し、後述されるコンテンツ嗜好リストを領域１６に記録する。【００７２】
また、記録再生部１４は、制御部１３の制御下で、ユーザが、記録（録画）された放送コンテンツの視聴を選択した際には、領域１８に記録された番組情報ＢＩを表示装置２１へ出力すると共に、放送コンテンツを再生させ、表示装置２１によって、ユーザに表示させる。【００７３】
特に、記録再生部１４は、制御部１３の制御下で、領域１５において、後述されるように、点数が付与された属性情報を管理するための表である管理表を記録する。尚、この管理表は、データベースの形式で保存されるようにしてもよい。詳細には、この管理表においては、後述されるように、（ｉ）放送コンテンツを構成すると共に、（ｉｉ）放送チャンネル、放送時間帯、及び放送日によって、放送コンテンツを一義的に特定可能な指標（Ｉｎｄｅｘ）である「枠」に対して、点数が付与され、データベースとして蓄積されていくようにしてもよい。【００７４】
加えて、記録再生部１４は、制御部１３の制御下で、後述されるように、この管理表に基づいて、記録（録画）されている放送コンテンツのタイトル名が、ユーザの嗜好の度合いを示す点数の高い順番に並べ替えられた表であるコンテンツ嗜好リストが、ユーザに、表示装置を介して、表示（提示）される。【００７５】
（１−２）放送コンテンツ、対応される属性情報、並びに、点数の具体的な関係
次に、図２、及び図３を参照して、（ｉ）放送コンテンツ、（ｉｉ）当該放送コンテンツに対応される属性情報（即ち、放送チャンネル、放送時間帯、及び放送日）、並びに、（ｉｉｉ）点数の具体的な関係について、本発明の放送記録再生装置の実施例の動作に係る、コンテンツ嗜好リストをユーザに提示するまでの概略動作と共に、説明する。ここに、本実施例に係る「コンテンツ嗜好リスト」とは、記録（録画）されている放送コンテンツのタイトル名が、ユーザの嗜好の度合いを示す点数の高い順番に並べ替えられた表である。具体的には、後述の図７等に示されるように放送コンテンツのタイトル名を中心とした表（コンテンツ嗜好リストＴ１０）である。また、図２は、本発明の放送記録再生装置の実施例の動作に係る、コンテンツ嗜好リストを、ユーザに提示するまでの概略動作を示したフローチャートである。図３は、本発明に係る点数が付与された属性情報を管理するための管理表の一具体例である。尚、図３中、縦軸は、放送時間帯を構成する単位で示された時間軸であり、横軸は、放送チャンネルを示し、斜めの軸は、放送曜日を示す。特に、図３の管理表中において、単位、放送チャンネル、及び放送曜日によって、特定可能な一つの「枠」（後述される）毎に点数が付与される。また、この単位は、図３中では、「１５分」の時間間隔であるが、「５分」や「３０分」等の所定の単位であるようにしてもよいことは言うまでもない。【００７６】
図２に示されるように、先ず、放送記録再生装置１０においては、制御部１３の制御下で、入力受信部２０によって、コンテンツ嗜好リストの提示指示が、ユーザから受信される（ステップＳ１０）。【００７７】
次に、制御部１３の制御下で、記録再生部１４によって、コンテンツ嗜好リストにおいて、放送チャンネル、放送時間帯、及び放送日によって一義的に特定できる放送コンテンツ（複数存在）のタイトル名に対して、当該放送コンテンツを構成する「枠」が保持する点数の合計値が割り当てられる（ステップＳ１１）。具体的には、図３の管理表に示されるように、例えば「月曜日」の「23:00」から「24:00」に、「チャンネルＡ」において放送される「スポーツＨ」に対しては、９点（3+3+3+0=9）の点数が割り当てられる。同様にして、例えば「月曜日」の「23:00」から「23:30」に、「チャンネルＣ」において放送される「スポーツＦ」に対しては、６点（3+3=6）の点数が割り当てられる。同様にして、例えば「月曜日」の「23:30」から「24:00」に、「チャンネルＥ」において放送される「スポーツＧ」に対しては、０点（0+0=0）の点数が割り当てられる。【００７８】
次に、制御部１３の制御下で、記録再生部１４によって、コンテンツ嗜好リストにおいて、複数の放送コンテンツに夫々対応される全てのタイトル名を、割り当てられた点数の降順に並び替える（ステップＳ１２）。具体的には、前述したように、放送チャンネル、放送時間帯、及び放送日によって一義的に特定できる放送コンテンツである、「スポーツＦ」の点数と、「スポーツＨ」の点数とは、どちらが高いかを判定する際には、前述した合計値を比較して、「スポーツＨ」（９点）を、「スポーツＦ」（６点）よりも高いと判定してもよい。【００７９】
或いは、この合計値を、放送コンテンツを構成する「枠」の数で割った平均値を比較してもよい。具体的には、「スポーツＨ」は、４つの「枠」によって構成されているので、その平均値は、２．２５点（9/4=2.25）となる。他方、「スポーツＦ」は、２つの「枠」によって構成されているので、その平均値は、３点（6/2=3）となる。従って、平均値に基づいて比較した場合には、合計値に基づく比較結果とは反対に、「スポーツＦ」（３点）を、「スポーツＨ」（２．２５点）よりも高いと判定するようにしてもよい。【００８０】
次に、制御部１３の制御下で、表示装置２１によって、点数の降順に並び替えられた、複数のタイトル名が、コンテンツ嗜好リストとして、ユーザへ提示される（ステップＳ１３）。【００８１】
（１−３）放送コンテンツに対応される属性情報に点数を付与するアルゴリズム
次に、図４、及び図５を参照して、本発明の放送記録再生装置の第１実施例に係る、放送コンテンツに対応される属性情報に点数を付与するアルゴリズムの一具体例について説明する。ここに、図４は、本発明の放送記録再生装置の第１実施例に係る、放送コンテンツに対応される属性情報（即ち、放送チャンネル、放送時間帯、及び放送日によって一義的に特定可能な指標（Ｉｎｄｅｘ））に点数を付与するアルゴリズムの一具体例を示したフローチャートである。図５は、本発明の放送記録再生装置の第１実施例に係る、一の放送コンテンツに対応される属性情報（放送チャンネル、及び放送時間帯）に点数が付与される管理表の変化の一具体例を示した模式図である。尚、図４に示されたアルゴリズムは、例えば「月曜日」等の一の曜日における「枠」に点数が付与される場合の具体例である。ここに、本実施例に係る「枠」（即ち、本発明に係る「属性情報」の一具体例）とは、（ｉ）放送コンテンツを構成すると共に、（ｉｉ）放送チャンネル、放送時間帯、及び放送日によって、放送コンテンツを一義的に特定可能な指標（Ｉｎｄｅｘ）を意味するようにしてもよい。また、図４中の「変数Ｎ」は、「枠」が保持する点数を示す変数であり、「定数Ｌ」は、加算する点数を示す定数であり、「最大値Ｎｍａｘ」は、点数の最大値を示す定数であり、「定数Ｋ」は、減算する点数を示す定数である。【００８２】
図４に示されるように、先ず、放送記録再生装置１０においては、制御部１３の制御下で、「所定日」が、例えば「１週間前」に設定される（ステップＳ１０１）。【００８３】
次に、制御部１３の制御下で、「所定期間」が、例えば「１週間以内」に設定される（ステップＳ１０２）。【００８４】
次に、制御部１３の制御下で、「所定単位」が、例えば「１５分」に設定される（ステップＳ１０３）。【００８５】
次に、制御部１３の制御下で、「所定時間帯」が、例えば「0:00から0:15」に設定される（ステップＳ１０４）。【００８６】
次に、制御部１３の制御下で、「所定チャンネル」が、例えば「チャンネルＡ」に設定される（ステップＳ１０５）。【００８７】
次に、制御部１３の制御下で、（ｉ）「１週間前（所定日）」に、（ｉｉ）「0:00から0:15（所定時間帯）」に、（ｉｉｉ）「チャンネルＡ（所定チャンネル）」に対応される、放送コンテンツが、ユーザによって記録（録画）され、且つ、（ｉｖ）「１週間以内（所定期間）」に、ユーザによって視聴されたか否かが判定される（ステップＳ１０６）。具体的には、ユーザによって視聴されたか否かの判断基準としては、ユーザによって、当該放送コンテンツの再生が１度でも起動された場合には、「視聴した」と判定するようにしてもよい。或いは、ユーザによって、再生された当該放送コンテンツの再生時間が、放送コンテンツの実際の放送時間の所定の割合（例えば８割）より長い場合には、「視聴した」と判定するようにしてもよい。更に、或いは、ユーザによって、複数回に跨って再生され、その分断された再生時間の合計が、放送コンテンツの実際の放送時間の所定の割合（例えば８割）より長い場合には、「視聴した」と判定するようにしてもよい。また、或いは、早送り等によって再生ポインタ（再生位置）が放送コンテンツの所定の割合（例えば８割）をこえた場合には、「視聴した」と判定するようにしても良い。【００８８】
ステップＳ１０６の判定の結果、上述したように特定された放送コンテンツが記録され、且つ、ユーザによって視聴された場合（ステップＳ１０６：Ｙｅｓ）、更に、「変数Ｎ」に「定数Ｌ」を加算した値は、「最大値Ｎｍａｘ」より大きいか否かが判定される（ステップＳ１０７）。ここで、「変数Ｎ」に「定数Ｌ」を加算した値は、「最大値Ｎｍａｘ」より大きくない場合（ステップＳ１０７：Ｎｏ）、「変数Ｎ」に「定数Ｌ」が加算された値が、当該「変数Ｎ」に代入される（ステップＳ１０８）。具体的には、図５の左側部において示されるように、例えば月曜日の管理表は、初期状態においては、「枠」には、初期値として「０」が付与されている。次に、図５の中央部において示されるように、例えば「チャンネルＥ」で、「20:00から21:00」に放送される放送コンテンツ「歌Ａ」が、「１週間前」にユーザによって録画され、且つ、「１週間以内」にユーザによって視聴された場合、次のように「定数Ｎ」が加算される。即ち、図５の右側部において示されるように、「チャンネルＥ」における「20:00から20:15」、「20:15から20:30」、「20:30から20:45」、「20:45から21:00」に対応される「枠」において、「５点」が「定数Ｌ」として、「変数Ｎ」に夫々加算された値が、「変数Ｎ」に代入される。【００８９】
他方、「変数Ｎ」に「定数Ｌ」を加算した値は、「最大値Ｎｍａｘ」より大きい場合（ステップＳ１０７：Ｙｅｓ）、「変数Ｎ」に「最大値Ｎｍａｘ」が代入される（ステップＳ１０９）。【００９０】
他方、ステップＳ１０６の判定の結果、上述したように特定された放送コンテンツが記録されなかったり、又は、ユーザによって視聴されなかった場合（ステップＳ１０６：Ｎｏ）、更に、「変数Ｎ」は、「定数Ｋ」より大きいか否かが判定される（ステップＳ１１０）。ここで、「変数Ｎ」が、「定数Ｋ」より大きい場合（ステップＳ１１０：Ｙｅｓ）、「変数Ｎ」に「定数Ｋ」が減算された値が、当該「変数Ｎ」に代入される（ステップＳ１１１）。他方、「変数Ｎ」が、「定数Ｋ」より大きくない場合（ステップＳ１１０：Ｎｏ）、「変数Ｎ」に「０」が代入される（ステップＳ１１２）。【００９１】
次に、制御部１３の制御下で、所定時間帯が、「23:45から24:00」であるか否かが判定される（ステップＳ１１３）。ここで、所定時間帯が、「23:45から24:00」でない場合（ステップＳ１１３：Ｎｏ）、所定時間帯を、所定単位だけ進ませる（ステップＳ１１４）。そして、前述したステップＳ１０６の判定処理が行われる。【００９２】
他方、ステップＳ１１３の判定の結果、所定時間帯が、「23:45から24:00」である場合（ステップＳ１１３：Ｙｅｓ）、更に、制御部１３の制御下で、所定チャンネルが、例えば「チャンネルＥ」等の最後の放送チャンネルであるか否かが判定される（ステップＳ１１５）。ここで、例えば最後の放送チャンネルではない場合（ステップＳ１１５：Ｎｏ）、所定チャンネルが、例えば「チャンネルＢ」等の次のチャンネルに設定される（ステップＳ１１６）。そして、前述したステップＳ１０６の判定処理が行われる。【００９３】
（１−４）本発明の放送記録再生装置の作用と効果の検討
次に、図６、及び図７を参照して、本発明の放送記録再生装置の作用と効果について検討を加える。ここに、図６は、比較例に係る、コンテンツ嗜好リストの一具体例を示した表である。図７は、本発明に係る、コンテンツ嗜好リストの一具体例を示した表である。【００９４】
本発明によれば、前述したように、ユーザに対して、所望の放送番組を検索又は視聴させる際に、放送コンテンツに対して、ユーザの嗜好の度合いを示す点数をつける指標として、ユーザによる録画設定の際に最低限必要な、放送チャンネル、放送時間帯（録画に必要な時間）、及び放送日（放送曜日）の三種類の情報を利用する。【００９５】
仮に、ユーザの嗜好の度合いを示す点数をつけない場合、図６に示されるように、新規に記録（録画）された放送コンテンツ（図６中の「Ｎｅｗ」マークを参照）を、日付の新しい順番等に基づいて、並び替えたコンテンツ嗜好リストを、提示することはできる。しかしながら、この比較例に係るコンテンツ嗜好リストでは、ユーザの嗜好の度合いを正確に示すには不十分である。【００９６】
これに対して、本発明によれば、ユーザに対して、所望の放送番組を検索又は視聴させる際に、放送コンテンツに対して、ユーザの嗜好の度合いを示す点数をつける指標として、ユーザによる録画設定の際に最低限必要な、放送チャンネル、放送時間帯（録画に必要な時間）、及び放送日（放送曜日）の三種類の情報を利用する。【００９７】
この結果、これら三種類の情報に基づいて、より簡便な情報処理で、ユーザの嗜好の度合いを示す点数を、放送コンテンツに対応させて付与することが可能となる。具体的には、図７に示されるように、ユーザが毎週記録（録画）している放送コンテンツ「歌Ａ」のうち「４月３日」放送分を、日付が古いにも関わらず、放送コンテンツ「スポーツＢ」よりも高い点数を付与することが可能となる。従って、より簡便な情報処理で、ユーザの嗜好の度合いをより的確に示したコンテンツ嗜好リストを、ユーザに対して提示することが可能となる。【００９８】
（２）  放送記録再生装置の第２実施例
次に、本発明の放送記録再生装置の第２実施例について説明する。【００９９】
（１−１）  点数を付与するアルゴリズム
先ず、図８を参照して、本発明の放送記録再生装置の第２実施例に係る点数を付与するアルゴリズムについて説明する。ここに、図８は、本発明の放送記録再生装置の第２実施例に係る、放送コンテンツに対応される属性情報（即ち、放送チャンネル、放送時間帯、及び放送日）に点数を付与するアルゴリズムの一具体例を示したフローチャートである。尚、図８中の「変数Ｎ」は、前述したように、放送コンテンツを構成する「枠」が保持する点数を示す変数であり、「変数ｎ」は、当該放送コンテンツの連続して再生した回数を示す変数であり、「変数ｍ」は、当該放送コンテンツの連続して再生しなかった回数を示す変数である。第２実施例に係る各種処理において、前述の図４における各種処理と同様の処理には、同様のステップ番号を付しそれらの説明は適宜省略する。また、第２実施例に係る基本構成については、前述した第１実施例に係る基本構成と概ね同様であるので、説明を省略する。【０１００】
図８に示されるように、ステップＳ１０６の判定の結果、上述したように特定された放送コンテンツが記録され、且つ、ユーザによって視聴された場合（ステップＳ１０６：Ｙｅｓ）、次の式（１）のように、「変数Ｎ」に値が代入される（ステップＳ２０１）。【０１０１】
Ｎ  ＝  Ｎ  ＋２  ＋（２のｎ乗）    ……  （１）。【０１０２】
次に、「変数ｎ」が「１」だけ増加（インクリメント）される（ステップＳ２０２）。【０１０３】
次に、「変数ｍ」が「０」が代入される（ステップＳ２０３）。【０１０４】
他方、ステップＳ１０６の判定の結果、上述したように特定された放送コンテンツが記録されなかったり、又は、ユーザによって視聴されなかった場合（ステップＳ１０６：Ｎｏ）、次の式（２）、又は式（３）のように、「変数Ｎ」に値が代入される（ステップＳ２０４）。【０１０５】
Ｎ  ＝  Ｎ  −２  −（２のｍ乗）            ……  （２）
Ｎ  ＝  Ｎ  −１  −（２の「ｍ／２」乗）    ……  （３）。【０１０６】
次に、「変数ｍ」が「１」だけ増加（インクリメント）される（ステップＳ２０５）。【０１０７】
次に、「変数ｎ」が「０」が代入される（ステップＳ２０６）。【０１０８】
このように、放送コンテンツに対応される属性情報に点数を付与する各種のアルゴリズムを採用することによって、ユーザの嗜好の度合いをより的確に示したコンテンツ嗜好リストを、ユーザに対して提示することが可能となる。【０１０９】
（３）  放送記録再生装置の第３実施例
次に、本発明の放送記録再生装置の第３実施例について説明する。【０１１０】
（１−１）  点数を付与するアルゴリズム
図９及び図１０を参照して、本発明の放送記録再生装置の第３実施例に係る点数を付与するアルゴリズムについて説明する。ここに、図９は、本発明の放送記録再生装置の第３実施例に係る、放送コンテンツに対応される属性情報（即ち、放送チャンネル、放送時間帯、及び放送日）に点数を付与するアルゴリズムの一具体例を示したフローチャートである。図１０は、本発明によって取得可能な、ユーザの視聴履歴を示したグラフである。尚、図９中の「変数Ｎ」、「定数Ｌ」、「最大値Ｎｍａｘ」、「定数Ｋ」については前述した第１実施例と同様である。第３実施例に係る各種処理において、前述の図４における各種処理と同様の処理には、同様のステップ番号を付しそれらの説明は適宜省略する。また、第３実施例に係る基本構成については、前述した第１実施例に係る基本構成と概ね同様であるので、説明を省略する。【０１１１】
図９に示されるように、先ず、放送記録再生装置１０においては、制御部１３の制御下で、例えば、未視聴の放送コンテンツと、視聴済みの放送コンテンツとをグループ分けを行うのか否かがユーザに、例えば表示装置２１を介して、提示される（ステップＳ３０１）。ここで、ユーザがグループ分けを選択した場合（ステップＳ３０１：Ｙｅｓ）、制御部１３の制御下で、未視聴の放送コンテンツと、視聴済みの放送コンテンツとがグループ分けされる（ステップＳ３０２）。以下、未視聴の放送コンテンツと、視聴済みの放送コンテンツとを対象として、前述した第１実施例に係るアルゴリズムに基づいて、点数が付与される。【０１１２】
特に、本発明によれば、図１０に示されるような、ユーザの視聴の傾向を分析することも可能である。【０１１３】
上述した実施例では、放送コンテンツの搬送波として、地上波アナログ放送、又は、地上波デジタル放送を例にとって説明したが、ＢＳ（Broadcasting Satellite）や、ＣＳ（Communication Satellite）や、インターネット等を介して、配信される放送コンテンツ等のすべての放送形態に適用可能である。【０１１４】
また、上述の実施例では、放送記録再生装置の一例としてＨＤＤ（Hard Disk Drive）付きのＤＶＤプレーヤ（レコーダ）について説明したが、本発明は、磁気ディスク、光ディスク又はBlu-rayディスクのプレーヤ（レコーダ）に限られるものではなく、他の各種記録媒体並びにそのプレーヤ（レコーダ）にも適用可能である。【０１１５】
本発明は、上述した実施例に限られるものではなく、請求の範囲及び明細書全体から読み取れる発明の要旨或いは思想に反しない範囲で適宜変更可能であり、そのような変更を伴なう放送記録再生装置及び方法、放送記録装置及び方法、放送再生装置及び方法、並びに、各種制御用のコンピュータプログラムもまた本発明の技術的範囲に含まれるものである。
【産業上の利用可能性】
【０１１６】
本発明に係る放送記録再生装置及び方法、放送記録装置及び方法、放送再生装置及び方法、並びにコンピュータプログラムは、例えば、アナログ放送やデジタル放送において、例えばハードディスク（Hard Disk）、ＤＶＤ、Blu-rayディスク等の情報記録媒体に放送番組等の放送コンテンツを記録（録画）又は再生することが可能な放送記録再生装置、放送記録装置、及び放送再生装置に利用可能である。また、例えば民生用或いは業務用の各種コンピュータ機器に搭載される又は各種コンピュータ機器に接続可能な放送記録再生装置、放送記録装置、及び放送再生装置等にも利用可能である。
【図１】
2006103990.tif 000002
【図２】
2006103990.tif 000003
【図３】
2006103990.tif 000004
【図４】
2006103990.tif 000005
【図５】
2006103990.tif 000006
【図６】
2006103990.tif 000007
【図７】
2006103990.tif 000008
【図８】
2006103990.tif 000009
【図９】
2006103990.tif 000010
【図１０】
2006103990.tif 000011
【手続補正書】
【提出日】平成19年9月13日(2007.9.13)
【手続補正１】
【補正対象書類名】特許請求の範囲
【補正対象項目名】全文
【補正方法】変更
【補正の内容】
【特許請求の範囲】
【請求項１】
放送コンテンツを含む放送信号を受信する受信手段と、
受信された前記放送信号に含まれる前記放送コンテンツを、記録又は再生する記録再生手段と、
前記放送コンテンツに対応する、放送チャンネル、放送時間帯、及び放送日に関する属性情報を、前記ユーザに表示する表示手段と、
再生される前記放送コンテンツが属する時間間隔の単位、放送チャンネル、放送日又は放送曜日に対して、前記ユーザの嗜好の度合いを示す点数を付与する点数付与手段と、
付与された前記点数に基づいて、前記放送コンテンツに関する情報を前記ユーザに表示するように、前記表示手段を制御する制御手段と
を備えることを特徴とする放送記録再生装置。
【請求項２】
前記制御手段は、特定の曜日又は所定日前における、前記時間間隔の単位及び前記放送チャンネルに対して付与された前記点数に基づいて、前記放送コンテンツに関する情報を表示するように前記表示手段を制御することを特徴とする請求の範囲第１項に記載の放送記録再生装置。
【請求項３】
受信された前記放送信号に含まれる番組情報を取得する取得手段を更に備え、
前記表示手段は、取得される前記番組情報に基づいて、前記属性情報として、前記放送コンテンツのタイトルに関する情報を、更に表示することを特徴とする請求の範囲第１項に記載の放送記録再生装置。
【請求項４】
前記点数付与手段は、所定のタイミングで、前記点数を付与することを特徴とする請求項１から３のうちいずれか一項に記載の放送記録再生装置。
【請求項５】
前記点数付与手段は、所定の周期に基づいて、前記点数を付与することを特徴とする請求項１から４のうちいずれか一項に記載の放送記録再生装置。
【請求項６】
前記点数付与手段は、所定のアルゴリズムに基づいて、前記点数を付与することを特徴とする請求項１から５のうちいずれか一項に記載の放送記録再生装置。
【請求項７】
点数付与手段は、前記属性情報である、前記放送コンテンツを一義的に特定可能な、複数の指標に対して、前記点数を夫々付与し、
前記制御手段は、複数の前記指標に対して夫々付与された前記点数の平均値、又は合計値に基づいて、前記放送コンテンツに関する情報を、前記ユーザに表示するように、前記表示手段を制御することを特徴とする請求項１から６のうちいずれか一項に記載の放送記録再生装置。
【請求項８】
前記制御手段は、更に、付与された前記点数に基づいて、（ｖ）当該点数が付与された前記属性情報に対応した前記放送コンテンツを再生するように、前記記録再生手段を制御することを特徴とする請求項１から７のうちいずれか一項に記載の放送記録再生装置。
【請求項９】
放送コンテンツを含む放送信号を受信する受信手段と、
受信された前記放送信号に含まれる前記放送コンテンツを記録する記録手段と、
前記放送コンテンツに対応する、放送チャンネル、放送時間帯、及び放送日に関する属性情報を、前記ユーザに表示する表示手段と、
記録される前記放送コンテンツが属する時間間隔の単位、放送チャンネル、放送日又は放送曜日に対して、前記ユーザの嗜好の度合いを示す点数を付与する点数付与手段と、
付与された前記点数に基づいて、前記放送コンテンツに関する情報を前記ユーザに表示するように、前記表示手段を制御する制御手段と
を備えることを特徴とする放送記録装置。
【請求項１０】
放送コンテンツを含む放送信号を受信する受信手段と、
受信された前記放送信号に含まれる前記放送コンテンツを、再生する再生手段と、
前記放送コンテンツに対応する、放送チャンネル、放送時間帯、及び放送日に関する属性情報を、前記ユーザに表示する表示手段と、
再生される前記放送コンテンツが属する時間間隔の単位、放送チャンネル、放送日又は放送曜日に対して、前記ユーザの嗜好の度合いを示す点数を付与する点数付与手段と、
付与された前記点数に基づいて、前記放送コンテンツに関する情報を前記ユーザに表示するように、前記表示手段を制御する制御手段と
を備えることを特徴とする放送再生装置。
【請求項１１】
放送コンテンツを含む放送信号を受信する受信工程と、
受信された前記放送信号に含まれる前記放送コンテンツを、記録又は再生する記録再生工程と、
前記放送コンテンツに対応する、放送チャンネル、放送時間帯、及び放送日に関する属性情報を、前記ユーザに表示する表示工程と、
再生される前記放送コンテンツが属する時間間隔の単位、放送チャンネル、放送日又は放送曜日に対して、前記ユーザの嗜好の度合いを示す点数を付与する点数付与工程と、
付与された前記点数に基づいて、前記放送コンテンツに関する情報を前記ユーザに表示するように、前記表示工程を制御する制御工程と
を備えることを特徴とする放送記録再生方法。
【請求項１２】
放送コンテンツを含む放送信号を受信する受信工程と、
受信された前記放送信号に含まれる前記放送コンテンツを、記録する記録工程と、
前記放送コンテンツに対応する、放送チャンネル、放送時間帯、及び放送日に関する属性情報を、前記ユーザに表示する表示工程と、
記録される前記放送コンテンツが属する時間間隔の単位、放送チャンネル、放送日又は放送曜日に対して、前記ユーザの嗜好の度合いを示す点数を付与する点数付与工程と、
付与された前記点数に基づいて、前記放送コンテンツに関する情報を前記ユーザに表示するように、前記表示工程を制御する制御手段と
を備えることを特徴とする放送記録方法。
【請求項１３】
放送コンテンツを含む放送信号を受信する受信工程と、
受信された前記放送信号に含まれる前記放送コンテンツを、再生する再生工程と、
前記放送コンテンツに対応する、放送チャンネル、放送時間帯、及び放送日に関する属性情報を、前記ユーザに表示する表示工程と、
再生される前記放送コンテンツが属する時間間隔の単位、放送チャンネル、放送日又は放送曜日に対して、前記ユーザの嗜好の度合いを示す点数を付与する点数付与工程と、
付与された前記点数に基づいて、前記放送コンテンツに関する情報を前記ユーザに表示するように、前記表示工程を制御する制御工程と
を備えることを特徴とする放送再生方法。
【請求項１４】
請求項１に記載の放送記録再生装置に備えられたコンピュータを制御する記録再生用のコンピュータプログラムであって、該コンピュータを、前記受信手段、前記記録再生手段、前記表示手段、前記点数付与手段、及び、前記制御手段のうち少なくとも一部として機能させることを特徴とするコンピュータプログラム。
【請求項１５】
請求項９に記載の放送記録装置に備えられたコンピュータを制御する記録用のコンピュータプログラムであって、該コンピュータを、前記受信手段、前記記録手段、前記表示手段、前記点数付与手段、及び、前記制御手段のうち少なくとも一部として機能させることを特徴とするコンピュータプログラム。
【請求項１６】
請求項１０に記載の放送再生装置に備えられたコンピュータを制御する再生用のコンピュータプログラムであって、該コンピュータを、前記受信手段、前記再生手段、前記表示手段、前記点数付与手段、及び、前記制御手段のうち少なくとも一部として機能させることを特徴とするコンピュータプログラム。
【請求項１７】
前記点数付与手段は、記録された前記放送コンテンツが再生された場合、前記放送時間帯を特定するための所定の時間間隔の単位に対して、前記ユーザの嗜好の度合いを示す点数を付与することを特徴とする請求項１から８のうちいずれか一項に記載の放送記録再生装置。
【請求項１８】
前記点数付与手段は、記録された前記放送コンテンツが、前記放送コンテンツの全体の長さに対する所定の割合だけ再生された場合、前記放送時間帯を特定するための所定の時間間隔の単位に対して、前記ユーザの嗜好の度合いを示す点数を付与することを特徴とする請求項１から８、及び１７のうちいずれか一項に記載の放送記録再生装置。
【国際調査報告】
2006103990.tif 000012
2006103990.tif 000013
2006103990.tif 000014
2006103990.tif 000015